(57)【要約】【課題】基板ボックス内に針金等を侵入させるといった不正行為を抑制することのできる遊技機を提供する。【解決手段】パチンコ機１０は、コネクタを介して複数の電気機器が接続される主基板を備えている。主基板は、ボックスベースとボックスカバーとからなる基板ボックス内に収納されている。ボックスベースとボックスカバーとは封印ユニットによって連結されており、所定の痕跡を残さなければ開封できないようになっている。基板ボックスには、コネクタ接続用の接続用開口部が形成されている。主基板には、先端部が接続用開口部を介して基板ボックスの外部に突出するレセプタクルコネクタが設けられている。そして、１つのレセプタクルコネクタに対し、電気機器に接続された複数のプラグコネクタが接続されている。これにより、主基板と複数の電気機器とが電気的に接続される。【選択図】      図１
2011235191.tif 000002
【特許請求の範囲】
【請求項１】
コネクタを介して複数の電気機器が接続される制御基板と、
ベース部材及びカバー部材を具備し、前記制御基板を収容状態で被包してなる基板ボックスと、
前記ベース部材と前記カバー部材とを連結する封印手段とを備え、
前記基板ボックスの前記被包状態が解除された場合に所定の痕跡が形成される遊技機であって、
前記基板ボックスは、コネクタ接続用の接続用開口部を有し、
前記制御基板に設けられた受側コネクタと、
前記制御基板に電気機器を接続するための差込側コネクタとを備え、
前記受側コネクタは、当該受側コネクタに対する前記差込側コネクタの接続方向において、その先端部が前記接続用開口部周縁の前記基板ボックスの内面と同じ高さ位置、又は前記基板ボックスの内面よりも前記基板ボックスの外側に位置し、
１つの前記受側コネクタと、複数の前記差込側コネクタとを接続したことを特徴とする遊技機。
【発明の詳細な説明】
【技術分野】
【０００１】
本発明は、遊技機に関するものである。
【背景技術】
【０００２】
遊技機の一種としてパチンコ機等がある。このようなパチンコ機は、例えば、作動口に遊技球が入球することを契機として各種遊技状態を決定する抽選が行われ、かかる抽選の結果に基づいて、表示装置の表示部における図柄の変動表示やランプの点灯状態の切替えや音声の出力等が行われる。このように、パチンコ機には、遊技球の作動口への入球を検出する検出スイッチ、検出スイッチの検出結果等に基づいて各種制御を行う制御装置（制御基板）、制御基板に駆動制御される表示装置等の複数の電気機器が設けられており、これらが電気配線を介して電気的に接続されている（例えば、特許文献１参照）。
【０００３】
一般に、電気配線はケーブル及びコネクタからなる。コネクタは、制御基板に設けられたレセプタクルコネクタと、ケーブルの一端部側に設けられたプラグコネクタとからなる。そして、レセプタクルコネクタとプラグコネクタとを接続することで、制御基板とケーブルの他端部側に接続された電気機器とが電気的に接続されることとなる。
【０００４】
また、主な制御基板は、ボックスベースと該ボックスベースの開口部を覆うボックスカバーとを具備する基板ボックス内に収容されている。ボックスベースとボックスカバーとは封印ユニットによって連結されており、封印ユニットを切断する等して痕跡を残さなければ基板ボックスを開封できないようになっている。これにより、制御基板を不正に取替えるといった行為の防止が図られている。
【先行技術文献】
【特許文献】
【０００５】
【特許文献１】特開２００３−１５４１１０号公報
【発明の概要】
【発明が解決しようとする課題】
【０００６】
ところで、制御基板が基板ボックス内に収容される場合、基板ボックスに接続用開口部を形成し、当該接続用開口部を介して、レセプタクルコネクタとプラグコネクタとが接続される。しかしながら、この場合、基板ボックスの接続用開口部周縁部とコネクタとの間に隙間が形成されてしまうおそれがあり、該隙間から針金等を基板ボックス内に侵入させて制御基板に誤作動を働きかけるといった不正行為が行われるおそれがある。特に、制御基板に対して電気的に接続される電気機器が多いと、その分だけ前記隙間の形成箇所が増えてしまうおそれがある。この場合、基板ボックス内に針金等を侵入させるといった不正行為が行いやすくなってしまうことが懸念される。上述した課題は、パチンコ機に限られるものではなく、スロットマシン等の他の遊技機にも該当する問題である。
【０００７】
本発明は、上記例示した問題点等を解決するためになされたものであり、基板ボックス内に針金等を侵入させるといった不正行為を抑制することのできる遊技機を提供することを目的としている。
【課題を解決するための手段】
【０００８】
本発明の遊技機は、
コネクタを介して複数の電気機器が接続される制御基板と、
ベース部材及びカバー部材を具備し、前記制御基板を収容状態で被包してなる基板ボックスと、
前記ベース部材と前記カバー部材とを連結する封印手段とを備え、
前記基板ボックスの前記被包状態が解除された場合に所定の痕跡が形成される遊技機であって、
前記基板ボックスは、コネクタ接続用の接続用開口部を有し、
前記制御基板に設けられた受側コネクタと、
前記制御基板に電気機器を接続するための差込側コネクタとを備え、
前記受側コネクタは、当該受側コネクタに対する前記差込側コネクタの接続方向において、その先端部が前記接続用開口部周縁の前記基板ボックスの内面と同じ高さ位置、又は前記基板ボックスの内面よりも前記基板ボックスの外側に位置し、
１つの前記受側コネクタと、複数の前記差込側コネクタとを接続したことを特徴としている。
【発明の効果】
【０００９】
本発明によれば、基板ボックス内に針金等を侵入させるといった不正行為を抑制することができる。
【図面の簡単な説明】
【００１０】
【図１】一実施の形態におけるパチンコ機を示す正面図である。
【図２】前面枠セットを開放した状態における内枠等を示す正面図である。
【図３】遊技盤の構成を示す正面図である。
【図４】パチンコ機の構成を示す背面図である。
【図５】内枠および遊技盤の構成を示す背面図である。
【図６】レセプタクルコネクタ及びプラグコネクタの構成を示す斜視図である。
【図７】接続状態にあるレセプタクルコネクタ及びプラグコネクタの構成を示す断面図である。
【図８】係合状態にあるプラグコネクタの背面図である。
【図９】係合前のプラグコネクタの構成を示す側面図である。
【図１０】パチンコ機の主な電気的構成を示すブロック図である。
【図１１】別の実施形態におけるレセプタクルコネクタ及びプラグコネクタの構成を示す正面図である。
【図１２】別の実施形態におけるレセプタクルコネクタ及びプラグコネクタの構成を示す斜視図である。
【図１３】従来のレセプタクルコネクタ及びプラグコネクタの構成を示す断面図である。
【発明を実施するための形態】
【００１１】
以下、パチンコ遊技機（以下、単に「パチンコ機」という）の一実施形態を、図面に基づいて詳細に説明する。図１はパチンコ機１０の正面図である。図２は、パチンコ機１０より前面枠セット１４を取り外した状態を示す正面図である（但し、図２では便宜上、遊技盤３０面上の遊技領域内の構成を空白で示している）。
【００１２】
パチンコ機１０は、当該パチンコ機１０の外殻を形成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。内枠１２は、パチンコ機１０の正面から見て左側に上下に延びる開閉軸線を軸心に、前方側に開放できるようになっている。
【００１３】
内枠１２には、その最下部に下皿ユニット１３が取り付けられているとともに、下皿ユニット１３を除く範囲に対応して、前面枠セット１４が、内枠１２に対して開閉可能に取り付けられている。前面枠セット１４は、内枠１２と同様に、パチンコ機１０の正面から見て左側に上下に延びる開閉軸線を軸心に、前方側に開放できるようになっている。
【００１４】
下皿ユニット１３には、ほぼ中央部に球受皿としての下皿１５が設けられ、排出口１６より排出された遊技球が下皿１５内に貯留可能になっている。なお、符号２４はスピーカからの音出力口であり、符号２５は下皿１５内から遊技球を下方へと排出する球抜きレバーである。
【００１５】
下皿１５よりも右方には、手前側に突出して遊技球発射ハンドル（以下単に「ハンドル」という）１８が配設されている。また、下皿１５の左方には、灰皿２６が設けられている。一方、下皿１５の上方においては、球受皿としての上皿１９が設けられている。上皿１９は、遊技球を一旦貯留し、一列に整列させながら遊技球発射装置（球発射手段）の方へ導出する球受皿である。
【００１６】
また、図２において、内枠１２は、外形が矩形状の樹脂ベース２０を主体に構成されており、樹脂ベース２０の中央部には略円形状の窓孔２１が形成されている。樹脂ベース２０の後側には遊技盤３０（図３参照）が着脱可能に装着されている。遊技盤３０は四角形状の合板よりなり、その周縁部が樹脂ベース２０（内枠１２）の裏側に当接した状態で取着されている。従って、遊技盤３０の前面部の略中央部分が樹脂ベース２０の窓孔２１を通じて内枠１２の前面側に露出した状態となっている。なお、樹脂ベース２０には、前面枠セット１４の開放を検知する開放検知センサ２２が設けられている。また、図示しないが内枠１２の開放を検知する開放検知スイッチも設けられている。
【００１７】
次に、遊技盤３０の構成について図３を用いて説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、後述する検出スイッチ（検出手段）の出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球はこのアウト口３６を通って図示しない球排出路の方へと案内されるようになっている。また、遊技盤３０には、遊技球の落下方向を適宜分散、調整等するために多数の釘が植設されているとともに、風車２７等の各種部材（役物）が配設されている。
【００１８】
可変表示装置ユニット３５には、第２契機対応口３４の通過をトリガとして普通図柄を変動表示する普通図柄表示装置４１と、第１契機対応口３３への入賞をトリガとしてＬＥＤを色換え表示（変動表示）する特別表示装置４３と、特別表示装置４３による変動表示に合わせて装飾図柄を変動表示する可変表示装置としての装飾図柄表示装置４２とが設けられている。本実施形態では、普通図柄表示装置４１、特別表示装置４３が電気機器（電気部材）に含まれる。
【００１９】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）し、その変動表示が「○」図柄（当選図柄）で数秒間停止した場合に第１契機対応口３３が所定時間だけ作動状態となる（開放される）よう構成されている。この普通図柄表示装置４１は、後述する主制御装置２６１によって直接的に表示内容が制御される。また、普通図柄表示装置４１による普通図柄の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００２０】
なお、普通図柄は、複数のランプの点灯態様を切換えることにより変動表示される構成の他、装飾図柄表示装置４２（液晶表示装置）の一部で変動表示される構成等であってもよい。保留ランプ４４も同様に、装飾図柄表示装置４２の一部で表示される構成であってもよい。
【００２１】
特別表示装置４３は、普通図柄表示装置４１の普通図柄の右側方に設けられ、赤、緑、青の発光色を有する三色発光ダイオード（三色ＬＥＤ）により構成されている。この特別表示装置４３についても、主制御装置２６１によって表示内容が直接的に制御される。本実施形態では、この特別表示装置４３によって大当たりか否かが確定的に表示されるようになっている。
【００２２】
装飾図柄表示装置４２は液晶表示装置として構成されており、サブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。なお、本実施形態では、装飾図柄表示装置４２は８インチサイズの液晶ディスプレイを備える。また、可変表示装置ユニット３５には、装飾図柄表示装置４２を囲むようにしてセンターフレーム４７が配設されている。
【００２３】
可変入賞装置３２は、通常は遊技球が入賞できない又は入賞し難い閉状態になっており、大当たり（特別遊技状態の発生）の際に、遊技球が入賞しやすい開状態とされる。より詳しくは、第１契機対応口３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。このとき、大当たり抽選に当選したことを意味する赤又は緑で決定表示（例えば数秒間停止）されると、大当たり状態が発生する。また、特別表示装置４３が３色ＬＥＤを赤又は緑で決定表示する場合、これを受けて、装飾図柄表示装置４２には、特定の図柄の組合わせが補助的に表示されることになる。そして、可変入賞装置３２の大入賞口が所定の開放状態となり、遊技球が入賞しやすい状態（大当たり状態）になるよう構成されている。具体的には、所定時間の経過又は所定個数の入賞を１ラウンドとして、可変入賞装置３２の大入賞口が所定回数（所定ラウンド数）繰り返し開放される。
【００２４】
また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００２５】
また、遊技盤３０には、遊技球発射装置から発射された遊技球を遊技盤３０上部へ案内するレール部材としてのレールユニット５０が取り付けられており、ハンドル１８の回動操作に伴い発射された遊技球はレールユニット５０を通じて所定の遊技領域に案内されるようになっている。レールユニット５０は内レール構成部５１と外レール構成部５２とを有する。
【００２６】
内レール構成部５１の先端部分（図３の左上部）には戻り球防止部材５３が取着されている。これにより、一旦、内レール構成部５１及び外レール構成部５２間の球案内通路から遊技盤３０の上部へと案内された遊技球が再度球案内通路内に戻ってしまうといった事態が防止される。また、外レール構成部５２には、遊技球の最大飛翔部分に対応する位置（図３の右上部：外レール構成部５２の先端部に相当する部位）に返しゴム５４が取着されている。従って、所定以上の勢いで発射された遊技球は、返しゴム５４に当たって例えば遊技盤３０の略中央部側へ戻される。
【００２７】
図２の説明に戻り、前記樹脂ベース２０において、窓孔２１（遊技盤３０）の下方には、遊技球発射装置より発射された直後に遊技球を案内する発射レール６１が取り付けられている。発射レール６１は、その後方の金属板６２と一体的に樹脂ベース２０に取付固定されており、所定の発射角度（打ち出し角度）にて直線的に延びるよう構成されている。従って、ハンドル１８の回動操作に伴い発射された遊技球は、まずは発射レール６１に沿って斜め上方に打ち出され、その後前述した通りレールユニット５０の球案内通路を通じて遊技領域に案内されるようになっている。
【００２８】
また、発射レール６１とレールユニット５０との間には所定間隔の隙間があり、この隙間より下方にファール球通路６３が形成されている。従って、仮に、遊技球発射装置から発射された遊技球が戻り球防止部材５３まで至らずファール球として球案内通路内を逆戻りする場合には、そのファール球がファール球通路６３を介して下皿１５に排出される。
【００２９】
なお、詳しい図面の開示は省略するが、遊技球発射装置には、前面枠セット１４側の球出口（上皿１９の最下流部より通じる球出口）から遊技球が１つずつ供給される。また、発射レール６１の基端部付近にはその右側と手前側にそれぞれガイド部材６５，６６を設置している。これにより、前面枠セット１４側の球出口から供給される遊技球が常に所定の発射位置にセットされる。また、遊技球発射装置には打球槌が設けられ、軸部を中心とする打球槌の回動に伴い遊技球が発射される。
【００３０】
また、図２中の符号６７は上皿１９に通ずる排出口であり、この排出口６７を介して遊技球が上皿１９に排出される。排出口６７には開閉式のシャッタ６８が取り付けられている。当該シャッタ６８は、その下辺部に沿って設けられた軸部を軸心として回動可能となっており、前面枠セット１４を開放した状態（図２の状態）ではバネ等の付勢力によりシャッタ６８が排出口６７をほぼ閉鎖するようになっている。また、前面枠セット１４を閉じた状態（図１の状態）では、当該前面枠セット１４の裏面に設けられた球通路樋（図示略）により、シャッタ６８が押し開けられるようになっており、排出口６７と上皿１９とが連通された状態となる。なお、前面枠セット１４の開放状態においては、遊技球は下皿１５へ排出されるようになっている。
【００３１】
次に、前面枠セット１４について図１を参照しつつ説明する。前面枠セット１４には遊技領域（レールユニット５０の内周部により略円形状に区画形成された領域）のほとんどを外部から視認することができるよう略楕円形状の窓部１０１が形成されている。
【００３２】
また、前面枠セット１４にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、上皿１９周りにも、同じくＬＥＤ等の発光手段を内蔵した上皿電飾部１０４が設けられている。その他、中央電飾部１０３の左右側方には、賞球払出し中に点灯する賞球ランプ１０５と所定のエラー時に点灯するエラー表示ランプ１０６とが設けられている。
【００３３】
また、窓部１０１の下方には貸球操作部１２０が配設されており、貸球操作部１２０には球貸しボタン１２１と、返却ボタン１２２と、度数表示部１２３とが設けられている。遊技場等において、パチンコ機１０の側方に配置されるカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図られる。
【００３４】
なお、図面の開示は省略するが、前面枠セット１４の裏側には、窓部１０１を囲むようにして金属製の補強板が設けられており、この補強板はガラス支持用の金枠としての機能も兼ね備えている。より詳しくは、補強板の一部が後方に折り返されて前後２列のガラス保持溝が形成されており、矩形状をなす前後一対のガラス１３７が各ガラス保持溝にて保持されようになっている。
【００３５】
次に、パチンコ機１０の背面の構成を図４に基づいて詳しく説明する。但し、同図においては、説明の便宜上後述するコネクタやケーブル等については図示を省略している。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３６】
なお、第１制御基板ユニット２０１、第２制御基板ユニット２０２及び裏パックユニット２０３は、ユニット単位で工具等を用いずとも着脱できるよう構成されており、さらにこれに加え、一部に支軸部を設けて内枠１２又は遊技盤３０の裏面に対して開閉できる構成となっている。
【００３７】
また、前面枠セット１４の施錠機構は、内枠１２の施錠機構と一体的となっており、当該一体となった施錠機構Ｇ１の本体部は内枠１２の背面側に設けられている。そのため、図２では、施錠機構Ｇ１から内枠１２の前面側に突出した係止爪Ｔ１，Ｔ２のみが示されている。そして、係止爪Ｔ１，Ｔ２が前面枠セット１４の背面側に係止されることにより、前面枠セット１４が施錠された状態となる。
【００３８】
図５は、内枠１２に遊技盤３０を組み付けた状態における構成を示す背面図である。同図に示すように、遊技盤３０は、樹脂ベース２０に囲まれた四角枠状の設置領域に設置され、内枠１２に設けられた複数（本実施形態では４カ所）の係止固定具２１１，２１２によって脱落しないように固定されている。
【００３９】
遊技盤３０の中央には可変表示装置ユニット３５が配置されている。可変表示装置ユニット３５においては、センターフレーム４７（図３参照）を背後から覆う樹脂製（例えばＡＢＳ製）のフレームカバー２１３が後方に突出して設けられており、そのフレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００４０】
また、遊技盤３０の裏面には、可変表示装置ユニット３５を取り囲むようにして裏枠セット２１５が取り付けられている。この裏枠セット２１５は、遊技盤３０の裏面に張り付くようにして設けられる薄型の樹脂成形品であって、各種入賞口に入賞した遊技球を回収する遊技球回収機構が形成されている。詳しくは、裏枠セット２１５の下方には、前述した一般入賞口３１、可変入賞装置３２、第１契機対応口３３（それぞれ図３参照）の遊技盤開口部に対応し、且つ下流側で１カ所に集合する回収通路２１６が形成されている。また、遊技盤３０よりも下方の内枠１２には、樹脂製の排出通路盤２１７が取り付けられており、該排出通路盤２１７には、排出球をパチンコ機１０外部へ案内する排出通路２１８が形成されている。従って、図５に仮想線で例示するように、一般入賞口３１等に入賞した遊技球は何れも裏枠セット２１５の回収通路２１６を介して集合し、さらに排出通路盤２１７の排出通路２１８を介してパチンコ機１０外部に排出される。なお、アウト口３６（図３参照）も同様に排出通路２１８に通じており、何れの入賞口にも入賞しなかった遊技球も排出通路２１８を介してパチンコ機１０外部に排出される。
【００４１】
上記構成では、遊技盤３０の下端面を境界にして、上方に裏枠セット２１５（回収通路２１６）が、下方に排出通路盤２１７（排出通路２１８）が設けられており、排出通路盤２１７が遊技盤３０に対して前後方向に重複（オーバーラップ）せずに設けられている。
【００４２】
また、遊技盤３０の裏面には、各種入賞口などの遊技球の通過を検出する入賞感知機構などが設けられている。具体的には、遊技盤３０表側の一般入賞口３１に対応する位置には入賞口スイッチ２２１が設けられ、可変入賞装置３２には、カウントスイッチ２２３が設けられている。カウントスイッチ２２３は可変入賞装置３２への入賞球をカウントするスイッチである。また、第１契機対応口３３に対応する位置には第１契機対応口スイッチ２２４が設けられ、第２契機対応口３４に対応する位置には第２契機対応口スイッチ２２５が設けられている。
【００４３】
入賞口スイッチ２２１及び第２契機対応口スイッチ２２５は、後述する電気配線（ケーブル及びコネクタ）を介して盤面中継基板２２６に接続され、さらにこの盤面中継基板２２６が後述する主基板（主制御装置２６１）に電気配線を介して接続されている。また、カウントスイッチ２２３は電気配線を介して大入賞口中継基板２２７に接続され、さらにこの大入賞口中継基板２２７がやはり電気配線を介して主基板に接続されている。これに対し、第１契機対応口（始動口）スイッチ２２４は中継基板を経ることなく直接主基板に電気配線を介して接続されている。これらの詳細については後述する。
【００４４】
その他図示は省略するが、可変入賞装置３２には、大入賞口を開放する大入賞口ソレノイドが設けられ、第１契機対応口３３には、当該第１契機対応口３３に装備された電動役物を開放する第１契機対応口ソレノイドが設けられている。なお、図５において符号２２８は打球槌等を備えるセットハンドルであり、符号２２９は発射モータである。
【００４５】
上記入賞感知機構にて各々検出された検出結果は、後述する主基板に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００４６】
また、裏枠セット２１５には、第１制御基板ユニット２０１を取り付ける取付機構が設けられている。さらに、内枠１２の裏面には、第２制御基板ユニット２０２や裏パックユニット２０３を取り付ける取付機構が設けられている。
【００４７】
その他、内枠１２の背面構成において、遊技盤３０の右下部には、後述する払出機構より払い出される遊技球を上皿１９、下皿１５、又は排出通路２１８の何れかに振り分ける遊技球分配部２４５が設けられている。また、内枠１２の下端部には、下皿１５に向けて設置された上記スピーカの背後を囲む樹脂製のスピーカボックス２４６が取り付けられており、このスピーカボックス２４６により低音域の音質改善が図られている。
【００４８】
図４の説明に戻り、第１制御基板ユニット２０１は、主制御装置２６１と、副制御装置としてのサブ制御装置２６２とを具備している。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３（被包手段）に収容されて構成されている。なお、基板ボックス２６３は、略直方体形状のベース部材としてのボックスベースと該ボックスベースの開口部を覆うカバー部材としてのボックスカバーとを備えている。これらボックスベースとボックスカバーとは封印ユニット２６４（封印手段）によって開封不能に連結され、これにより基板ボックス２６３が封印されている。
【００４９】
封印手段としての封印ユニット２６４はボックスベースとボックスカバーとを開封不能に連結する構成であれば任意の構成が適用できるが、本実施形態では、５つの封印部材が連結された構成となっており、この封印部材の長孔に係止爪を挿入することでボックスベースとボックスカバーとが開封不能に連結されるようになっている。封印ユニット２６４による封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット２６４を構成する５つの封印部材のうち、少なくとも一つの封印部材の長孔に係止爪を挿入することにより封印処理が行われる。そして、収容した主基板の不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨を容易に発見することができる。
【００５０】
尚、詳しくは後述するが、基板ボックス２６３には、主基盤に接続されるコネクタを挿通させるための接続用開口部Ｗが形成されており、コネクタが接続用開口部Ｗを介して基板ボックス２６３から露出状態となっている。かかるコネクタの露出は、他の基板及び基板ボックスについても同様である。
【００５１】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。サブ制御装置２６２上には電源中継基板２６６が搭載されており、後述する電源基板より供給される電源がこの電源中継基板２６６を介してサブ制御装置２６２及び表示制御装置４５に出力される。なお、サブ制御基板を収容する基板ボックスについても、基板ボックスを構成するボックスベースとボックスカバーとが封印ユニット（封印手段）によって開封不能に連結される構成としてもよい。
【００５２】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射モータ２２９の制御が行われ、電源装置３１３の電源基板により、各種制御装置等で要する所定の電源電圧が生成され出力される。カードユニット接続基板３１４は、パチンコ機前面の貸球操作部１２０及び図示しないカードユニットに電気的に接続され、遊技者による球貸し操作の指令を取り込んでそれを払出制御装置３１１に出力するものである。なお、カードユニットを介さずに球貸し装置等から上皿に遊技球が直接貸し出される現金機では、カードユニット接続基板３１４を省略することも可能である。
【００５３】
上記払出制御装置３１１、発射制御装置３１２、電源装置３１３及びカードユニット接続基板３１４は、透明樹脂材料等よりなる基板ボックス３１５，３１６，３１７，３１８にそれぞれ収容されて構成されている。特に、払出制御装置３１１では、前述した主制御装置２６１と同様、基板ボックス３１５（被包手段）を構成するボックスベースとボックスカバーとが封印ユニット３１９（封印手段）によって開封不能に連結され、これにより基板ボックス３１５が封印されている。尚、基板ボックス３１６，３１７，３１８についても、基板ボックスを構成するボックスベースとボックスカバーとが封印ユニット（封印手段）によって開封不能に連結される構成としてもよい。
【００５４】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００５５】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００５６】
次に、裏パックユニット２０３の構成を説明する。裏パックユニット２０３は、樹脂成形された裏パック３５１と遊技球の払出機構部３５２とを一体化したものである。
【００５７】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する（但し本実施形態では、前述のサブ制御装置２６２も合わせて囲む構成となっている）。
【００５８】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置（払出手段）３５８はケースレール３５７の最下流部に設けられ、払出モータ３５８ａ等の所定の電気的構成により必要個数の遊技球の払出が適宜行われる。そして、払出装置３５８より払い出された遊技球は前記上皿１９に供給される。また、タンクレール３５６には、当該タンクレール３５６に振動を付加するバイブレータ３６０が取り付けられており、仮にタンクレール３５６付近で球詰まりが生じた際、バイブレータ３６０が駆動されることで球詰まりの解消が図られる。
【００５９】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６０】
また、裏パックユニット２０３は、外部中継端子板２３０用の開口部３９１が設けられており、裏パックユニット２０３の固定された状態でも、外部中継端子板２３０の取外し及び操作が可能となっている。
【００６１】
なお、上述してきた構成により、主制御装置２６１（基板ボックス２６３）の取外しは、まず裏パックユニット２０３を開け、次に第１制御基板ユニット２０１を開け、そして、主制御装置２６１を固定している固定具を解除操作するという複雑な過程をふむことにより、ようやく行うことができる。このため、主制御装置２６１（基板ボックス２６３）の取り外し等の不正行為に対して抑止効果が期待できる。
【００６２】
なお、本実施形態では、主制御装置２６１は、厳重に封印された基板ボックス２６３に格納されているため、主制御装置２６１に何らかの不正な信号を送ったりする等の不正行為は困難である。このため、主制御装置２６１によって直接的に制御される特別表示装置４３のＬＥＤを「赤」又は「緑」の大当たりの態様で不正に点灯させることは困難である。従って、装飾図柄表示装置４２に大当たりとなったかのような表示を行わせるとともに、セルなどを用いて大入賞口を強制的に開放し、大当たりとなっていないにもかかわらず出玉を獲得するというような不正行為が行われる場合にも、特別表示装置４３の点灯態様を確認することによって、そのような不正行為が簡単に発見できる。
【００６３】
次に、パチンコ機１０の電気的構成について説明する。図１０は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【００６４】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するメモリやエリアの他に、バックアップエリア５０３ａが設けられている。
【００６５】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、ＮＭＩ端子（ノンマスカブル端子）への停止信号の入力により起動されるＮＭＩ割込み処理（このＮＭＩ割込みにより、電源断時の主制御装置２６１の状態がＲＡＭ５０３のバックアップエリア５０３ａに記憶される）によって停電の発生等による電源切断時に実行され、逆にバックアップエリア５０３ａに書き込まれた各値の復帰は、電源入時（停電解消による電源入を含む。以下同様）の復電処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【００６６】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。本実施形態では、主制御装置２６１に接続されるこれらの部材が電気機器に含まれる。この構成により、上述した特別表示装置４３および普通図柄表示装置４１は、主制御装置２６１により直接的に制御される。一方、装飾図柄表示装置４２は、サブ制御装置２６２を介して制御される。
【００６７】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。ここには後述する各種カウンタの値を格納するカウンタ用バッファが設けられている。
【００６８】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカ２４、各種電飾部及びランプ１０２〜１０６が接続されている。
【００６９】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。つまり、変動パターンコマンドは、特別表示装置４３にて行われる表示に合わせた表示を装飾図柄表示装置４２にて行わせるためにサブ制御装置２６２に出力されるコマンドである。
【００７０】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【００７１】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するメモリやエリアの他に、バックアップエリア５１３ａが設けられている。
【００７２】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、ＮＭＩ割込み処理によって電源切断時に実行され、逆にバックアップエリア５１３ａに書き込まれた各値の復帰は、電源入時の復電処理において実行される。
【００７３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ３５８ａなどがそれぞれ接続されている。
【００７４】
発射制御装置３１２は、発射モータ２２９による遊技機の発射を許可又は禁止するものであり、発射モータ２２９は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射モータ２２９が駆動され、ハンドル１８の操作量に応じた強度で遊技球が発射される。
【００７５】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７にはサブ制御装置２６２の出力ポート５５６が接続されている。また、入力ポート５２７には、ＣＰＵ５２１、プログラムＲＯＭ５２２、ワークＲＡＭ５２３、画像コントローラ５２６が接続されている。また、画像コントローラ５２６にはバスライン５３１を介して出力ポート５２９が接続されており、その出力ポート５２９には液晶表示装置たる装飾図柄表示装置４２が接続されている。
【００７６】
表示制御装置４５のＣＰＵ５２１は、サブ制御装置２６２から送信される表示コマンドに基づいて装飾図柄表示装置４２の表示を制御する。プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。ここには後述する各種カウンタの値を格納するカウンタ用バッファが設けられている。
【００７７】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを所定のタイミングで読み出して装飾図柄表示装置４２に表示させるものである。
【００７８】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００７９】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【００８０】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００８１】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【００８２】
さて、上記のように、主制御装置２６１の主基板には、特別表示装置４３やサブ制御装置２６２（サブ制御基板）等の複数の電気機器が電気的に接続されている（図１０参照）。本実施形態では、主基板に対して接続される電気機器のうち払出制御装置３１１の払出制御基板、特別表示装置４３、及びＲＡＭ消去スイッチ回路５４３と、主基板との電気的接続構成において特徴を有している。
【００８３】
図６、図７等に示すように、本実施形態では、ケーブルＣ１を介して払出制御基板に接続された第１プラグコネクタ４０３ａ、ケーブルＣ２を介して特別表示装置４３に接続された第２プラグコネクタ４０３ｂ、ケーブルＣ３を介してＲＡＭ消去スイッチ回路５４３に接続された第３プラグコネクタ４０３ｃの３つのプラグコネクタが、主基板（主基板２６１ａ）に設けられた１つのレセプタクルコネクタ４０２に直接接続されている。各プラグコネクタ４０３ａ〜４０３ｃは、隣接するプラグコネクタ同士が係合状態でレセプタクルコネクタ４０２に接続される。尚、本実施形態では、主基板２６１ａが制御基板に相当し、レセプタクルコネクタ４０２が受側コネクタに相当し、各プラグコネクタ４０３ａ〜４０３ｃが差込側コネクタに相当する。
【００８４】
以下、レセプタクルコネクタ４０２及びプラグコネクタ４０３ａ〜４０３ｃの接続構造について図面を参照しつつ説明する。図６はレセプタクルコネクタ４０２及びプラグコネクタ４０３ａ〜４０３ｃの構成を示す斜視図である。図７は接続状態におけるレセプタクルコネクタ４０２及びプラグコネクタ４０３ａ〜４０３ｃの構成を示す断面図である。図８は係合状態におけるプラグコネクタ４０３ａ〜４０３ｃの背面図（プラグコンタクト及びケーブル省略）である。図９は係合前のプラグコネクタ４０３ａ〜４０３ｃの側面図（ケーブル省略）である。
【００８５】
図７等に示すように、レセプタクルコネクタ４０２は、複数のピンコンタクト４１１と、合成樹脂などの絶縁材料で形成されたレセプタクルハウジング４１２とを備えている。
【００８６】
レセプタクルハウジング４１２は、主基板２６１ａと当接状態で固定された四角板状の底壁部４１４と、底壁部４１４の周縁部から当該底壁部４１４に直交して延びる側壁部４１５とを備え、全体として先端部側（パチンコ機１０の後側）に開口する箱状に構成されている。
【００８７】
ピンコンタクト４１１は、底壁部４１４に対して、その厚み方向に貫通して固定されている。また、ピンコンタクト４１１は、主基板２６１ａの電気回路に対して半田付け等により接続されている。
【００８８】
また、図６、図７に示すように、レセプタクルコネクタ４０２は、レセプタクルハウジング４１２の先端部側が、基板ボックス２６３に形成された接続用開口部Ｗ１を介して、基板ボックス２６３の外部に突出している。該基板ボックス２６３の接続用開口部Ｗ１の周縁部と、レセプタクルハウジング４１２（側壁部４１５）との間には隙間がなく、これにより、接続用開口部Ｗ１から基板ボックス２６３内部に針金等を侵入させて、主制御装置２６１に誤作動を働きかけるといった不正行為の防止が図られている。尚、不正防止の観点から、基板ボックス２６３の接続用開口部Ｗ１の周縁部と、レセプタクルハウジング４１２（側壁部４１５）との間には、隙間が全くないことが望ましいのであるが、接続用開口部Ｗ１に若干の余裕を持たせないと、レセプタクルコネクタ４０２の接続用開口部Ｗ１への挿通作業が困難又は不可能となってしまうおそれがある。つまり、ここで言う「隙間がない」とは、「針金等の基板ボックス２６３内への侵入を防止でき、かつ、レセプタクルコネクタ４０２の挿通作業性を阻害しない程度の隙間しかない」といった意味である。
【００８９】
一方、各プラグコネクタ４０３ａ〜４０３ｃは、それぞれ複数のソケットコンタクト４２１ａ〜４２１ｃと、合成樹脂などの絶縁材料で形成されたプラグハウジング４２２ａ〜４２２ｃとを備えている。
【００９０】
各プラグハウジング４２２ａ〜４２２ｃには、それぞれ複数の貫通孔４２３が格子状に設けられており、各貫通孔４２３内にソケットコンタクト４２１ａ〜４２１ｃが固定されている。また、貫通孔４２３には、プラグコネクタ４０３ａ〜４０３ｂの基端部側から対応するケーブルＣ１〜Ｃ３が挿入され、当該ケーブルＣ１〜Ｃ３の芯線がソケットコンタクト４２１ａ〜４２１ｃに圧着されている。
【００９１】
そして、レセプタクルハウジング４１２内周側にプラグハウジング４２２ａ〜４２２ｃの先端部側を挿入して嵌合させることで、対応するピンコンタクト４１１とソケットコンタクト４２１とが接触する。これにより、ケーブルＣ１〜Ｃ３を介して、主基板２６１ａと、払出制御装置３１１、特別表示装置４３、及びＲＡＭ消去スイッチ回路５４３とが電気的に接続される。
【００９２】
さて、本実施形態では、上記のようにプラグコネクタ４０３ａ〜４０３ｃは、隣接するプラグコネクタ同士が互いに係合された状態でレセプタクルコネクタ４０２に接続される。ここで、プラグコネクタ４０３ａ〜４０３ｃの係合構造について説明する。尚、本実施形態では、図６等に示すように、レセプタクルコネクタ４０２に対してプラグコネクタ４０３ａ〜４０３ｃが横一列に並んで接続される。つまり、第１プラグコネクタ４０３ａと第２プラグコネクタ４０３ｂとが係合し、第２プラグコネクタ４０３ｂと第３プラグコネクタ４０３ｃとが係合する構成となっている。
【００９３】
まず、第１プラグコネクタ４０３ａと第２プラグコネクタ４０３ｂとの係合構造について説明する。プラグハウジング４２２ａ側の係合面Ｆ１には、その幅方向略中央部において、プラグハウジング４２２ａの長手方向（プラグコネクタ４０３ａの接続方向）に沿って延びる第１係合溝４３２が形成されている。第１係合溝４３２の基端部側（ケーブルＣ１の接続側）には、係合凸部としての第１凸部４３７が形成されている（図９参照）。
【００９４】
一方、プラグハウジング４２２ｂ側の係合面Ｆ３には、第１凸部４３７に係合する可動片としての第１係合片４５１が設けられている。第１係合片４５１は、係合面Ｆ３の長手方向略中央部から突出してプラグハウジング４２２ｂの基端部側（ケーブルＣ２の接続側）に向けて次第に係合面Ｆ３との距離が開くようにして延びる第１辺部４５２と、第１辺部４５２の先端部から突出する第２辺部４５３と、第１辺部４５２と第２辺部４５３との間に形成された段差部４５４とを具備している。第１係合片４５１は弾性を有しており、その基端部を中心に傾動させられた場合にも、自らの弾性力によって元の状態に復帰できるようになっている。
【００９５】
そして、図７に示すように、第１プラグコネクタ４０３ａと第２プラグコネクタ４０３ｂとの係合状態においては、第１係合片４５１の段差部４５４が第１凸部４３７に係止される。これにより、第２プラグコネクタ４０３ｂに対する第１プラグコネクタ４０３ａの先端部側への相対移動が規制される。
【００９６】
また、係合面Ｆ１には、第１係合溝４３２の両側方において、それぞれ第１係合溝４３２に沿って延びる一対の第２係合溝４３１が形成されている。各第２係合溝４３１は、第１係合溝４３２の両側縁部から突出する第１リブ４３３と、係合面Ｆ１の両側縁部から突出する第２リブ４３４とによりそれぞれ幅が画定されている（図８参照）。各第２リブ４３４の内側面は第２係合溝４３１の底面に対して傾斜している。本実施形態では、第２リブ４３４の内側面と第２係合溝４３１の底面とでなす角度が約４５度になっている。また、第２係合溝４３１の先端部側（プラグコネクタ４０３ｂの接続方向側）には、第２凸部４３６が形成されている（図９参照）。
【００９７】
一方、係合面Ｆ３には、一対の第２係合溝４３１に挿通される一対の係合リブ４５５が形成されている。一対の係合リブ４５５の各外側面は、一対の第２リブ４３４の内側面と対向するように外側に傾斜しており、断面略「ハ」字状をなしている（図８参照）。
【００９８】
そして、図７に示すように、第１プラグコネクタ４０３ａと第２プラグコネクタ４０３ｂとの係合状態においては、プラグコネクタ４０３ａ，４０３ｂの先端部側において係合リブ４５５の端部が第２係合溝４３１の第２凸部４３６に係止される。これにより、第２プラグコネクタ４０３ｂに対する第１プラグコネクタ４０３ａの基端部側への相対移動が規制される。また、図８に示すように、第１プラグコネクタ４０３ａと第２プラグコネクタ４０３ｂとの係合状態においては、一対の係合リブ４５５の外側面と、一対の第２リブ４３４の内側面とが当接状態となる。これにより、プラグコネクタ４０３ａ，４０３ｂの上下方向（図８の上下方向）、及び、プラグコネクタ４０３ａ，４０３ｂの左右方向（図８の左右方向）への相対移動が規制される。尚、本実施形態では、係合リブ４５５及び第１係合片４５１と、第２凸部４３６、第１凸部４３７、及び第２リブ４３４とで係合手段を構成する。
【００９９】
次に、第２プラグコネクタ４０３ｂと第３プラグコネクタ４０３ｃとの係合構造について説明する。プラグハウジング４２２ｂ側の係合面Ｆ４には、その幅方向略中央部において、プラグハウジング４２２ｂの長手方向（プラグコネクタ４０３の接続方向）に沿って延びる第１係合溝４６２が形成されている。第１係合溝４６２の基端部側（ケーブルＣ２の接続側）には、係合凸部としての第１凸部４６７が形成されている（図９参照）。第１凸部４６７は、プラグハウジング４２２ｂの基端部側に向けて次第に突出長が大きくなる断面略直角三角形状をなし、第１凸部４６７よりもプラグハウジング４２２ｂの基端部側に位置する第１係合溝４６２との間に段差部４６８を形成している。
【０１００】
一方、プラグハウジング４２２ｃ側の係合面Ｆ５には、第１凸部４６７に係合する可動片としての第２係合片４７１が設けられている。第２係合片４７１は、係合面Ｆ５の長手方向略中央部から突出し、プラグハウジング４２２ｃの基端部側（ケーブルＣ３の接続側）に向けて延びている。また、第２係合片４７１の先端部には外側（当接面Ｆ４側）に突出する係止爪４７２が形成されている。第２係合片４７１は弾性を有しており、その基端部を中心に傾動させられた場合にも、自らの弾性力によって元の状態に復帰できるようになっている。
【０１０１】
そして、図７に示すように、第２プラグコネクタ４０３ｂと第３プラグコネクタ４０３ｃとの係合状態においては、第２係合片４７１の係止爪４７２が第１凸部４６７の段差部４６８に係止される。これにより、第２プラグコネクタ４０３ｂに対する第３プラグコネクタ４０３ｃの先端部側への相対移動が規制される。
【０１０２】
また、係合面Ｆ４には、第１係合溝４６２の両側方において、それぞれ第１係合溝４６２に沿って延びる一対の第２係合溝４６１が形成されている。各第２係合溝４６１は、上記第１プラグコネクタ４０３の係合面Ｆ１に形成された第２係合溝４３１とほぼ同様の構成を有してなる。つまり、各第２係合溝４６１は、第１係合溝４６２の両側縁部から突出する第１リブ（図示略）と、係合面Ｆ４の両側縁部から突出する第２リブ（図示略）とによりそれぞれ幅が画定されている。さらに、各第２リブの内側面は、当該第２リブの内側面と第２係合溝４６１の底面とでなす角度が約４５度となるように傾斜している。また、第２係合溝４６１の基端部側（ケーブルＣ２の接続側）には、第２凸部４６６が形成されている。
【０１０３】
一方、係合面Ｆ５には、一対の第２係合溝４６１に挿通される一対の係合リブ４７３を備えている（図７、図９参照）。一対の係合リブ４７３の外側面は、第２係合溝４６１の第２リブの内側面と対向するように外側に傾斜しており、断面略「ハ」字状をなしている。
【０１０４】
そして、図７に示すように、第２プラグコネクタ４０３ｂと第３プラグコネクタ４０３ｃとの係合状態においては、プラグコネクタ４０３の基端部側において係合リブ４７３の端部が第２凸部４６６に係止される。これにより、第２プラグコネクタ４０３ｂに対する第３プラグコネクタ４０３ｃの基端部側への相対移動が規制される。また、第２プラグコネクタ４０３ｂと第３プラグコネクタ４０３ｃとの係合状態においては、一対の係合リブ４７３の外側面と一対の第２リブ４６４の内側面とが当接状態となっている（図示略）。これにより、プラグコネクタ４０３ｂ，４０３ｃの上下方向（図８の上下方向）、及び、プラグコネクタ４０３ｂ，４０３ｃの左右方向（図８の左右方向）への相対移動が規制される。尚、本実施形態では、係合リブ４７３及び第２係合片４７１と、第２凸部４６６、第１凸部４６７（段差部４６８）、及び第２リブ４６４とで係合手段を構成する。
【０１０５】
次に、レセプタクルコネクタ４０２とプラグコネクタ４０３ａ〜４０３ｃとの係止構造について説明する。
【０１０６】
図９等に示すように、プラグハウジング４２２ａにおける係合面Ｆ１の反対面（以下外面Ｆ２と称する）には、プラグハウジング４２２ａの略先端部から突出し、基端部側に向けて次第に外面Ｆ２との距離が開くようにして延びる係止部４４１が設けられている。
【０１０７】
また、プラグハウジング４２２ｃにおける係合面Ｆ５の反対面（以下外面Ｆ６と称する）には、プラグハウジング４２２ｃの略先端部から突出し、基端部側（ケーブルＣ３の接続側）に向けて次第に外面Ｆ６との距離が開くようにして延びる係止部４８１が設けられている。
【０１０８】
係止部４４１、４８１の先端部には、外側に突出する操作部４４３、４８３が形成されている。また、係止部４４１、４８１の長手方向略中間部位には、外側に突出する係止爪４４４、４８４が形成されている。係止部４４１、４８１は弾性を有しており、その基端部を中心に傾動させられた場合にも、自らの弾性力によって元の状態に復帰できるようになっている。
【０１０９】
加えて、外面Ｆ２には、係止部４４１が外面Ｆ２に寄せられるようにして傾動した場合に、係止部４４１が没入する溝部４４５が形成されている。また、外面Ｆ６には、係止部４８１が外面Ｆ６に寄せられるようにして傾動した場合に、係止部４８１が没入する溝部４８５が形成されている。
【０１１０】
一方、レセプタクルハウジング４１２の側壁部４１５の内周面には、左右一対の被係止部としての係止凸部４１７が設けられている。そして、レセプタクルコネクタ４０２とプラグコネクタ４０３ａ〜４０３ｃとの接続状態においては、係止凸部４１７の主基板２６１ａ側の面に対して、係止部４４１、４８１が係止される。
【０１１１】
尚、図８に示すように、プラグハウジング４２２ａとプラグハウジング４２２ｂとの下面側（図８の下側）境界部には、凹部４９１を形成する一対の切欠部４９２、４９３が形成されている。また、プラグハウジング４２２ｂとプラグハウジング４２２ｃとの上面側（図８の上側）境界部には、凹部４９５を形成する一対の切欠部４９６、４９７が形成されている。一方、図６に示すように、レセプタクルハウジング４１２の側壁部４１５には、プラグコネクタ４０３の凹部４９１、４９５に合わせて、内側に陥入する陥入部４１８が設けられている。
【０１１２】
次に、以上のように構成されてなるレセプタクルコネクタ４０２、プラグコネクタ４０３ａ〜４０３ｃの接続手順について説明する。
【０１１３】
まず、図９に示すように、第１プラグコネクタ４０３ａを第２プラグコネクタ４０３ｂの先端部側に位置させる。それから、係合面Ｆ１と係合面Ｆ３とを摺り合わせるようにして、第１プラグコネクタ４０３ａを同図矢印方向に向けて移動させる。より詳しくは、第１プラグコネクタ４０３ａの一対の第２係合溝４３１に第２プラグコネクタ４０３ｂの一対の係合リブ４５５を挿通させる（図８に示すように、係合リブ４５５の外側面と第２リブ４３４の内側面とを当接させる）。これにより、第１プラグコネクタ４０３ａが第２係合溝４３１に沿って案内されることとなり、第２プラグコネクタ４０３ｂに対する第１プラグコネクタ４０３ａの相対移動を比較的容易に行うことができる。その後、第２凸部４３６が係合リブ４５５の端部に当接し、かつ、第１凸部４３７に第１係合片４５１の段差部４５４が当接するまで第１プラグコネクタ４０３ａを移動させることで、第１プラグコネクタ４０３ａと第２プラグコネクタ４０３ｂとの係合が完了する。
【０１１４】
続いて、第３プラグコネクタ４０３ｃを、第２プラグコネクタ４０３ｂの先端部側に位置させる。それから、係合面Ｆ５と係合面Ｆ４とを摺り合わせるようにして、第３プラグコネクタ４０３ｃを図９の矢印方向に向けて移動させる。より詳しくは、第３プラグコネクタ４０３ｃの第２係合片４７１を、第２プラグコネクタ４０３ｂの第１係合溝４６２に沿わせて移動させるとともに、第３プラグコネクタ４０３ｃの一対の係合リブ４７３を、第２プラグコネクタ４０３ｂの一対の第２係合溝４６１に挿通させる。これにより、第２プラグコネクタ４０３ｂが第１係合溝４６２及び第２係合溝４６１に沿って案内されることとなり、第２プラグコネクタ４０３ｂに対する第３プラグコネクタ４０３ｃの相対移動を比較的容易に行うことができる。その後、係合リブ４７３の端部が第２凸部４６６と当接し、かつ、第２係合片４７１の係止爪４７２が第１凸部４６７の段差部４６８に当接するまで第３プラグコネクタ４０３ｃを移動させることで、第３プラグコネクタ４０３ｃと第２プラグコネクタ４０３ｂとの係合が完了する。尚、第１プラグコネクタ４０３ａと第２プラグコネクタ４０３ｂとの係合の前に、第３プラグコネクタ４０３ｃと第２プラグコネクタ４０３ｂとの係合を行ってもよい。
【０１１５】
次に、図６に示すように、係合されて１まとめとなったプラグコネクタ４０３ａ〜４０３ｃの先端部をレセプタクルハウジング４１２に対向配置する。そして、係止部４４１、４８１を外面Ｆ２、Ｆ６に押付けるようにして操作部４４３、４８３を摘まみ、その状態で、プラグコネクタ４０３ａ〜４０３ｃをレセプタクルハウジング４１２内に挿入する。そして、図７に示すように、係止部４４１、４８１の係止爪４４４、４８４が、それぞれ対応する係止凸部４１７に係止されるまでプラグコネクタ４０３ａ〜４０３ｃを押込むことで、プラグコネクタ４０３ａ〜４０３ｃとレセプタクルコネクタ４０２との接続が完了する。
【０１１６】
なお、プラグコネクタ４０３ａ〜４０３ｃをレセプタクルコネクタ４０２から離脱させるときは、まず、操作部４４３、４８３を摘まんで係止部４４１、４８１と係止凸部４１７との係止状態を解除する。この状態でプラグコネクタ４０３ａ〜４０３ｃを引っ張ることで、プラグコネクタ４０３ａ〜４０３ｃを一度に離脱させることができる。
【０１１７】
また、第１プラグコネクタ４０３ａを第２プラグコネクタ４０３ｂから離脱させる際には、まず、第１係合片４５１を係合面Ｆ３に寄せるようにして第２辺部４５３を押圧し、第１プラグコネクタ４０３ａと第２プラグコネクタ４０３ｂとの係合状態を解除する。この状態で、第１プラグコネクタ４０３ａを、第２プラグコネクタ４０３ｂに対して図９の矢印とは反対方向に相対移動させることで、第１プラグコネクタ４０３ａを第２プラグコネクタ４０３ｂから離脱させることができる。
【０１１８】
さらに、第３プラグコネクタ４０３ｃを第２プラグコネクタ４０３ｂから離脱させる際には、まず、第２係合片４７１を係合面Ｆ５に寄せるようにして第２係合片４７１を押圧し、第２プラグコネクタ４０３ｂと第３プラグコネクタ４０３ｃとの係合状態を解除する。この状態で、第３プラグコネクタ４０３ｃを、第２プラグコネクタ４０３ｂに対して図９の矢印とは反対方向に相対移動させることで、第３プラグコネクタ４０３ｃを第２プラグコネクタ４０３ｂから離脱させることができる。
【０１１９】
以上詳述したように、本実施形態では、１つのレセプタクルコネクタ４０２に対して３つのプラグコネクタ４０３ａ〜４０３ｃが接続されることで、主基板２６１ａに対して払出制御基板、特別表示装置４３、及びＲＡＭ消去スイッチ回路５４３が電気的に接続される。従って、主基板２６１ａに対して電気的に接続される全ての電気機器の数と同数のレセプタクルコネクタを設ける場合（レセプタクルコネクタがプラグコネクタと１対１で対応して設けられる場合）に比べて、主基板２６１ａ上に設けられるレセプタクルコネクタの数を減少させることができる。このように、複数のプラグコネクタ４０３ａ〜４０３ｂに接続されるレセプタクルコネクタを１つのレセプタクルコネクタ４０２としてまとめることで、基板ボックス２６３に形成される接続用開口部Ｗの数を減少させることができる。このため、基板ボックス２６３の接続用開口部Ｗ１周縁部とレセプタクルコネクタ４０２との間に針金等を挿入可能な隙間が生じ得る箇所を減らすことができる。結果として、基板ボックス２６３内に針金等を侵入させて、主基板２６１ａに誤作動を働きかけるといった不正行為を抑制することができる。
【０１２０】
また、複数のプラグコネクタ４０３ａ〜４０３ｂに接続されるレセプタクルコネクタを１つのレセプタクルコネクタ４０２としてまとめることで、主基板２６１ａに対して複数のプラグコネクタ４０３ａ〜４０３ｂを接続するために必要なレセプタクルコネクタのコンパクト化を図ることができる。例えば、図１３に示すように、レセプタクルコネクタ７０２ａ、７０２ｂ、７０２ｃと、プラグコネクタ７０３ａ、７０３ｂ、７０３ｃとを１対１で対応させて設ける場合には、たとえ隣接するプラグコネクタ７０３ａ、７０３ｂ、７０３ｃを当接させたとしても、プラグコネクタ７０３ａ、７０３ｂ間及びプラグコネクタ７０３ｂ、７０３ｃ間にレセプタクルコネクタ７０２ａ、７０２ｂ、７０２ｃの各壁部７１５が存在することとなる。これに対し、本実施形態では、隣接するプラグコネクタ間を隔てるような壁部を省略することができる。従って、主基板２６１ａ上のコネクタ接続に要するスペースの縮小化を図ることができ、主基板２６１ａの簡素化及び小型化を図ることができる。また、主基板２６１ａに電気的に接続される電気機器の数（プラグコネクタの数）が増えたり、プラグコネクタに接続されるケーブルの本数が増えたりした場合にも、主基板２６１ａの大型化を招くことなく、これらの接続スペースを主基板２６１ａ上に確保することができる。
【０１２１】
加えて、３つのプラグコネクタ４０３ａ〜４０３ｃが１箇所にまとまることから、ケーブルＣ１〜Ｃ３をまとめておくことができる。従って、パチンコ機１０の背面の至る所からケーブルが延び出してパチンコ機１０の背面が煩雑になってしまうといったおそれを抑制することができる。
【０１２２】
また、例えば、図１３に示すように、設置スペースの都合等により、複数のレセプタクルコネクタ７０２ａ、７０２ｂ、７０３ｃを近接させて設けざるを得ない場合には、これら複数のレセプタクルコネクタ７０２ａ、７０２ｂ、７０３ｃをまとめて囲むような接続用開口部Ｗ２を形成せざるを得ない場合がある。この場合において、レセプタクルコネクタ７０２ａ、７０２ｂ、７０３ｃが離間していると、レセプタクルコネクタ７０２ａとレセプタクルコネクタ７０２ｂとの間、及びレセプタクルコネクタ７０２ｂとレセプタクルコネクタ７０２ｃとの間に隙間が生じてしまい、接続用開口部Ｗ２を介して、当該隙間から針金等を基板ボックス２６３内に侵入させるといった不正行為が行われるおそれがある。
【０１２３】
この点、本実施形態によれば、主基板２６１ａに対して複数のプラグコネクタ４０３ａ〜４０３ｃを接続するために必要なレセプタクルコネクタがレセプタクルコネクタ４０２として１つにまとめられる。つまり、従来、近接させて設けていたような複数のレセプタクルコネクタを１つのレセプタクルコネクタとしてまとめることで、複数のレセプタクルコネクタをまとめて囲むような接続用開口部をなくすことができる。従って、複数のプラグコネクタ４０３ａ〜４０３ｃに接続される１つのレセプタクルコネクタ４０２を、当該レセプタクルコネクタ４０２の外周に合わせて形成された接続用開口部Ｗ１を介して基板ボックス２６３から突出させることで、レセプタクルコネクタ４０２と基板ボックス２６３の接続用開口部Ｗ１周縁部との隙間をなくすことができる。結果として、接続用開口部Ｗ１を介して針金等を基板ボックス２６３内に侵入させるといった不正行為を防止することができる。
【０１２４】
また、例えば、プラグコネクタ４０３ａ〜４０３ｃの外周形状に合わせて接続用開口部Ｗ１を形成する場合には、プラグコネクタ４０３ａ〜４０３ｃを抜き差しする際に、基板ボックス２６３の接続用開口部Ｗ１周縁部が傷つけられて変形したり欠けたりするおそれがある。さらに、部材点数が多くなるとそれだけ製造誤差が生じる可能性が高められるため、プラグコネクタ４０３ａ〜４０３ｃの外周形状に合わせて接続用開口部Ｗ１を形成する場合には、基板ボックス２６３の接続用開口部Ｗ１周縁部とプラグコネクタ４０３ａ〜４０３ｃとの間に隙間ができてしまうおそれが高められてしまう。この点、本実施形態では、１つのレセプタクルコネクタ４０２の外周形状に合わせて接続用開口部Ｗ１が形成されるため、上記おそれを抑止することができる。
【０１２５】
加えて、レセプタクルコネクタ４０２に対してプラグコネクタ４０３ａ〜４０３ｃが直接接続される。このため、例えば、レセプタクルコネクタ４０２とプラグコネクタ４０３ａ〜４０３ｃとを、別途の部材（中継端子部）を介して接続する場合に比べて、別途の部材を設けるために必要な手間やコストを省くことができる。
【０１２６】
また、本実施形態では、第１プラグコネクタ４０３ａと第２プラグコネクタ４０３ｂとが係合し、第２プラグコネクタ４０３ｂと第３プラグコネクタ４０３ｃとが係合する。このように、隣接するプラグコネクタ同士を係合させることで、３つのプラグコネクタ４０３ａ〜４０３ｃを１度に着脱することができる。また、レセプタクルコネクタ４０２とプラグコネクタ４０３ａ〜４０３ｃとの接続状態の安定性を高めることができる。
【０１２７】
さらに、上記プラグコネクタ４０３ａ〜４０３ｃの係合は、隣接するプラグコネクタ同士をその長手方向に沿った方向に相対移動させ、一方のプラグコネクタに設けられた溝（第２係合溝４３１、４６１）に、他方のプラグコネクタに設けられたリブ（係合リブ４５５、４７３）を挿通させることで行われる。従って、隣接するプラグコネクタ同士が当接して、プラグコネクタ間の隙間がほとんどなくなる。このため、主基板２６１ａ上のコネクタ接続に要するスペースの縮小化がより確実に図られる。
【０１２８】
また、第１係合片４５１、第２係合片４７１を操作して、第１係合片４５１、第２係合片４７１と第１凸部４３７、４６７との係合を解除することができる。従って、隣接するプラグコネクタ同士を係合させた後でも、隣接するプラグコネクタ同士を比較的容易に離脱させることができる。このため、例えば、隣接する差込側コネクタ同士を一度係合したら二度と離脱させることができない構成を採用する場合に比べて、ケーブルＣ１〜Ｃ３のうちどのケーブルにおいて断線が生じたのかを比較的容易に特定することができる。また、係合状態にあるプラグコネクタ４０３ａ〜４０３ｃを離脱させることができなければ、ケーブルＣ１〜Ｃ３のうちのいずれかに断線が生じた場合であっても全てのケーブルＣ１〜Ｃ３及びプラグコネクタ４０３ａ〜４０３ｃを交換せざるを得ない場合も想定される。この点、本実施形態では、ケーブルＣ１〜Ｃ３及びプラグコネクタ４０３ａ〜４０３ｃのうち、断線の生じたケーブル及び該ケーブルに対応するプラグコネクタのみを取外して交換するだけで済むため、省資源化を図ることができる。結果として、メンテナンス性やリユース性に優れるといった効果が奏される。
【０１２９】
加えて、プラグコネクタ４０３ａ、４０３ｃに設けられた係止部４４１、４８１（係止爪４４４、４８４）が、レセプタクルコネクタ４０２に設けられた係止凸部４１７に係止される。これにより、プラグコネクタ４０３ａ〜４０３ｃの抜け防止が図られ、接続状態を安定させることができる。また、係止部４４１、４８１が係止凸部４１７に係止されることで、レセプタクルコネクタ４０２に対してプラグコネクタ４０３が確実に接続されたことを把握することができる。
【０１３０】
また、上記のように、隣接するプラグコネクタ同士が係合されているため、第１プラグコネクタ４０３ａと第３プラグコネクタ４０３ｃとにそれぞれ係止部４４１、４８１が１つずつ設けられているだけでも、全てのプラグコネクタ４０３ａ〜４０３ｃを確実に係止させることができる。このように、係止部の数が少なくて済むことで、プラグコネクタ４０３ａ〜４０３ｃ及びレセプタクルコネクタ４０２の形状の簡素化を図ることができる。
【０１３１】
また、制御基板（主基板２６１ａ等）には、複数のレセプタクルコネクタが設けられるのであるが、一般に、製造誤差等に起因するレセプタクルコネクタ間の相対位置のずれを見込んで、接続用開口部Ｗをレセプタクルハウジングの外周形状よりも若干大きめに形成する。特に、制御基板に設けられるレセプタクルコネクタの数が多いと、その分だけ接続用開口部も大きめに形成する必要が生じる。この場合、針金等を基板ボックス２６３内に挿入可能な隙間ができてしまうおそれがある。この点、本実施形態によれば、レセプタクルコネクタの数を減少させることができることから、上記不具合を抑止することができる。
【０１３２】
以上、本発明は、上記実施の形態には何ら限定されるものではなく、本発明の趣旨を逸脱しない限りにおいて、種々の形態で実施できることは言うまでもない。
【０１３３】
（ａ）上記実施形態では、ケーブルＣ１〜Ｃ３を介して、払出制御基板、特別表示装置４３、ＲＡＭ消去スイッチ回路５４３に接続されたプラグコネクタ４０３ａ〜４０３ｃがレセプタクルコネクタ４０２に接続されているが、主基板２６１ａに電気的に接続されるその他の電気機器に接続されたプラグコネクタをレセプタクルコネクタ４０２に接続してもよい。
【０１３４】
また、上記実施形態では、主基板２６１ａと、払出制御基板、特別表示装置４３、及びＲＡＭ消去スイッチ回路５４３との電気的接続構成においてのみ、１つのレセプタクルコネクタに複数のプラグコネクタを接続するといった特徴的構成を有しているが、主基板２６１ａとその他の電気機器との電気的接続構成や、サブ制御基板等のその他の制御基板（例えば、ＣＰＵを具備する制御基板等）と電気機器との電気的接続構成においても、上記特徴的構成を採用してもよい。
【０１３５】
（ｂ）上記実施形態における隣接するプラグコネクタ同士を係合させるための構成（係合手段）は特に限定されるものではない。例えば、第１係合片４５１、第２係合片４７１、第１凸部４３７、４６７を省略し、隣接するプラグコネクタ同士が係合状態であっても少なくとも一方向において相対移動ができる構成としてもよい。
【０１３６】
例えば、上記実施形態においてプラグコネクタ４０３ａ〜４０３ｃの長手方向に沿って設けられていた第２係合溝４３１、４６１等の延在方向を、プラグコネクタ４０３ａ〜４０３ｃの長手方向に直交する方向とし、隣接するプラグコネクタ同士を前記長手方向に直交する方向に相対移動させることで係合が行われる構成としてもよい。
【０１３７】
例えば、互いに係合される係合面の一方に突起部を設け、他方に突起を挿入可能な穴部を設け、隣接するプラグコネクタ同士を係合面の法線方向に相対移動させることで係合が行われる構成としてもよい。尚、係合手段をなくし、各プラグコネクタ４０３ａ〜４０３ｃをそれぞれ個別にレセプタクルコネクタ４０２に取付ける構成としてもよい。この場合、各プラグコネクタ４０３ａ〜４０３ｃに対して、レセプタクルコネクタ４０２（係止凸部４１７）に係止される一対の係止部を設けることが望ましい。また、レセプタクルコネクタ４０２への接続状態においても、隣接するプラグコネクタ同士が当接していなくてもよい。
【０１３８】
（ｃ）上記実施形態では、１つのレセプタクルコネクタ４０２に対して３つのプラグコネクタ４０３ａ〜４０３ｃが横一列に並んで接続されるが、特にこのような構成に限定されるものではない。例えば、１つのレセプタクルコネクタ４０２に対して、４つのプラグコネクタを接続してもよい。また、第１プラグコネクタ４０３ａと第２プラグコネクタ４０３ｂとを横並びとし、第２プラグコネクタ４０３ｂと第３プタグコネクタ４０３ｃとを縦並びとしてもよい。
【０１３９】
（ｄ）上記実施形態では、プラグコネクタ４０３ａ〜４０３ｃのうち、第１プラグコネクタ４０３ａと第３プラグコネクタ４０３ｃとに１つずつ係止部４４１、４８１が設けられているが、特にこのような構成に限定されるものではない。例えば、第２プラグコネクタ４０３ｂに上下（図８の上下）一対の係止部を設けてもよい。この場合にも、隣接するプラグコネクタ同士が係合されていることにより、レセプタクルコネクタ４０２に対して、全てのプラグコネクタ４０３ａ〜４０３ｃを確実に係止させることができる。もちろん、全てのプラグコネクタ４０３ａ〜４０３ｃに係止部を設けてもよい。また、係止部を基板ボックス２６３の内面に係止させてもよい。さらに、係止部自体を省略することも可能である。
【０１４０】
（ｅ）上記実施形態において、プラグコネクタ４０３ａ〜４０３ｃやレセプタクルコネクタ４０２に識別情報を付してもよい。例えば、プラグコネクタ４０３ａ〜４０３ｂの上面に「Ａ−１」、「Ａ−２」、「Ａ−３」といった識別情報を付すとともに、レセプタクルコネクタ４０２の上面に「Ａ」といった識別情報を付してもよい。この場合、識別情報を視認することで、所定のプラグコネクタに対してどのプラグコネクタが隣接するのか、ひいては、所定のプラグコネクタのどの面が隣接するプラグコネクタのどの面と対応しているのか（当接、係合するのか）、さらに、これらのプラグコネクタがどのレセプタクルコネクタに接続されるのかを明確に認識することができる。結果として、レセプタクルコネクタに接続されるプラグコネクタの配置構成を瞬時に把握することができ、接続作業性を向上させることができる。また、例えば、係合面Ｆ２の少なくとも一部を黄色、係合面Ｆ３の少なくとも一部を黄色、係合面Ｆ４の少なくとも一部を青色、係合面Ｆ５の少なくとも一部に青色、プラグハウジング４２２ａ〜４２２ｃの上面を赤色、対応するレセプタクルハウジング４１２の上面を赤色とすることでも、同様の効果が奏される。この場合、着色部位が識別情報に相当する。また、例えば、係合面Ｆ２に三角の溝、係合面Ｆ３に前記三角の溝に嵌る三角のリブ、係合面Ｆ４に半円の溝、係合面Ｆ５に前記半円の溝に嵌る半円のリブを設けてもよい。この場合、前記溝やリブといった特徴的な形状を有する部位が識別情報に相当する。もちろん、上記のような着色、外形状、目印（刻印、点字等によるマーク）等の組合わせによって特徴付けた部位を識別情報とすることもできる。
【０１４１】
（ｆ）上記実施形態において、少なくともレセプタクルハウジング４０２と接続用開口部Ｗ１との間を覆う閉塞部材を設けてもよい。この場合、接続用開口部Ｗ１から針金などを挿入するといった不正行為をより確実に防止することができる。また、上記実施形態によれば、接続用開口部Ｗの数を減少させることができることから、上記のように閉塞部材を設ける場合であっても、手間やコストを抑制することができる。なお、閉塞部材は、レセプタクルハウジング４０２又はコネクタハウジング４０３ａ〜４０３ｃから延出するものであってもよいし、別途設けてもよい。
【０１４２】
（ｇ）上記実施形態では、レセプタクルコネクタ４０２がピンコンタクト４１１を備え、プラグコネクタ４０３ａ〜４０３ｃがソケットコンタクト４２１ａ〜４２１ｃを備えているが、レセプタクルコネクタ４０２がソケットコンタクトを備え、プラグコネクタ４０３ａ〜４０３ｃがピンコンタクトを備えてもよい。但し、この場合には、所定のプラグコネクタのピンコンタクトと接触するソケットコンタクトと、前記所定のプラグコネクタに隣接するプラグコネクタのピンコンタクトと接触するソケットコンタクトとの間に、プラグコネクタのハウジングを挿入させるための隙間が必要になる。つまり、レセプタクルコネクタ４０２形状が複雑化してしまうおそれがある。従って、上記実施形態のようにレセプタクルコネクタ４０２がピンコンタクト４１１を備え、プラグコネクタ４０３ａ〜４０３ｃがソケットコンタクト４２１ａ〜４２１ｃを備える構成が望ましい。
【０１４３】
（ｈ）上記実施形態では、１つの接続用開口部Ｗ１を介して、プラグコネクタ４０３ａ〜４０３ｃと接続されるレセプタクルコネクタが１つのレセプタクルコネクタ４０２として構成されているが、例えば、プラグコネクタ４０３ａ、４０３ｂと接続される１つの複合レセプタクルコネクタと、プラグコネクタ４０３ｃと接続される単体レセプタクルコネクタとが存在する構成としてもよい。この場合、少なくともプラグコネクタ４０３ａ、４０３ｂを主基板２６１ａに接続するために必要な主基板２６１ａ上のスペースの縮小化を図ることができる。また、例えば、プラグコネクタ４０３ａ、４０３ｂに個別に対応して２つのレセプタクルコネクタを設ける場合に比べて、接続用開口部を介して隣接するレセプタクルコネクタ間の隙間から針金等を基板ボックス２６３内に侵入させるといった不正行為を抑制することができる。
【０１４４】
なお、上記複合レセプタクルコネクタと単体レセプタクルコネクタとが離間していてもよいが、不正防止の観点から当接している方が望ましく、さらに、不正防止及び省スペース化の観点から上記実施形態のようにプラグコネクタ４０３ａ〜４０３ｃと接続されるレセプタクルコネクタが１つのレセプタクルコネクタ４０２として構成されることがより望ましい。
【０１４５】
（ｉ）上記実施形態では、レセプタクルハウジング４１２の先端部側が、接続用開口部Ｗ１を介して基板ボックス２６３の外部に突出しているが、特にこのような構成に限定されるものではなく、レセプタクルハウジング４１２と、基板ボックス２６３の接続用開口部Ｗ１の周縁部との間に針金等を挿入可能な隙間ができないようになっていればよい。例えば、レセプタクルハウジング４１２の先端部側が、プラグコネクタ４０３ａ〜４０３ｃの接続方向において基板ボックス２６３の内面と同じ高さ位置とし、かつ、基板ボックス２６３の接続用開口部Ｗ１の周縁部と略当接状態となる構成としてもよい。
【０１４６】
（ｊ）上記実施形態では、接続用開口部Ｗ１とレセプタクルコネクタ４０２と１対１で対応しているが、特にこのような構成に限定されるものではない。例えば、図１１、図１２に示すように、複数（図１１では２つ）のレセプタクルコネクタ４０２ａ、４０２ｂに対応して、１つの接続用開口部Ｗ３を形成してもよい。但し、同図に示すように、２つのレセプタクルコネクタ４０２ａ，４０２ｂのうち少なくとも一方（図１１、図１２ではレセプタクルコネクタ４０２ａ）が複数のプラグコネクタ４０３ａ、４０３ｂと接続される構成とする。この場合、例えば、図１３に示すように、プラグコネクタ７０３ａ〜７０３ｃと１対１で対応してレセプタクルコネクタを３つ設ける場合に比べて、隣接するレセプタクルコネクタ間にできる隙間の形成箇所を減少させることができる。結果として、針金等を基板ボックス２６３内に侵入させるといった不正行為を抑制することができる。
【０１４７】
（ｋ）上記実施形態とは異なるタイプのパチンコ機等として実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当り図柄が表示された後に所定の領域に遊技球を入賞させることを必要条件として特別遊技状態となるパチンコ機として実施してもよい。さらに、羽根モノと称されるパチンコ機に適用することも可能である。また、パチンコ機以外にも、アレンジボール機や、それに類する雀球等の各種遊技機として実施することも可能である。ただし、これらの遊技機には、液晶表示装置やドットマトリクス表示装置等の可変表示装置が搭載されているものとする。
【０１４８】
（ｌ）パチンコ機以外の遊技機として、可変表示装置としての補助表示装置（液晶表示装置、ドットマトリクス表示装置）を備える回胴式遊技機としてのスロットマシンとしても、もちろん実施可能である。なお、スロットマシンは、複数の図柄が付された回転体を備えており、例えばコインを投入して、図柄有効ラインを決定させた状態で操作レバーを操作することにより図柄が変動し、停止ボタンを操作することで図柄が停止される周知のものである。この場合、補助表示装置は、回転体の回転に伴って各種演出態様を表示する。
【０１４９】
また、パチンコ機とスロットマシンとが融合した遊技機として実施してもよい。具体例としては、複数の識別情報からなる識別情報列（具体的にはリールであり、識別情報はリールに付されたシンボルである）を変動表示（具体的にはリールの回動である）した後に識別情報を最終停止表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その際になされる抽選結果により、遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるものである。
【０１５０】
［付記］
上記実施形態から把握できる技術的思想について、以下に記載する。
【０１５１】
手段１．コネクタを介して複数の電気機器が接続される制御基板と、
ベース部材及びカバー部材を具備し、前記制御基板を収容状態で被包してなる基板ボックスと、
前記ベース部材と前記カバー部材とを連結する封印手段とを備え、
前記基板ボックスの前記被包状態が解除された場合に所定の痕跡が形成される遊技機であって、
前記基板ボックスは、コネクタ接続用の接続用開口部を有し、
前記制御基板に設けられた受側コネクタと、
前記制御基板に電気機器を接続するための差込側コネクタとを備え、
前記受側コネクタは、当該受側コネクタに対する前記差込側コネクタの接続方向において、その先端部が前記接続用開口部周縁の前記基板ボックスの内面と同じ高さ位置、又は前記基板ボックスの内面よりも前記基板ボックスの外側に位置し、
１つの前記受側コネクタと、複数の前記差込側コネクタとを接続したことを特徴とする遊技機。
【０１５２】
手段１によれば、制御基板に設けられた１つの受側コネクタに対して複数の差込側コネクタを接続することで、１つの制御基板と複数の電気機器とが接続されることとなる。従って、１つの制御基板に対して電気的に接続される全ての電気機器の数と同数の受側コネクタを設ける場合（受側コネクタが差込側コネクタと１対１で対応して設けられる場合）に比べて、制御基板上に設けられる受側コネクタの数を減少させることができる。このように、複数の差込側コネクタに接続される受側コネクタを１つの受側コネクタとしてまとめることで、基板ボックスに形成される接続用開口部の数を減少させることができる。このため、基板ボックスの接続用開口部周縁部とコネクタとの間に針金等を挿通可能な隙間が生じ得る箇所を減らすことができる。結果として、基板ボックス内に針金等を侵入させて、制御基板に誤作動を働きかけるといった不正行為を抑制することができる。
【０１５３】
また、複数の差込側コネクタに接続される受側コネクタを１つの受側コネクタとしてまとめることで、制御基板上のコネクタ接続に要するスペースの縮小化を図ることができ、制御基板の簡素化及び小型化を図ることができる。また、制御装置に電気的に接続される電気機器の数（差込側コネクタの数）が増えたり、差込側コネクタに接続されるケーブルの本数が増えたりした場合にも、制御基板の大型化を招くことなく、これらの接続スペースを制御基板上に確保することができる。加えて、複数の差込側コネクタが１箇所にまとまることから、ケーブルの一端側に差込側コネクタが設けられている場合に、遊技機の背面の至る所からケーブルが延び出して遊技機の背面が煩雑になってしまうといったおそれを抑制することができる。
【０１５４】
また、例えば、設置スペースの都合等により、複数の受側コネクタ同士を近接させて設ける場合には、これら複数の受側コネクタをまとめて囲むような接続用開口部を形成せざるを得ない場合がある。この場合において、受側コネクタと該受側コネクタに隣接する受側コネクタとが離間していると、接続用開口部を介して、隣接する受側コネクタ間の隙間から針金等を基板ボックス内に侵入させるといった不正行為が行われるおそれがある。特に、１つの接続用開口部に対応する受側コネクタの数が多くなるほど、それだけ隣接する受側コネクタ間にできる隙間の形成箇所が増えてしまい、基板ボックス内に針金等を侵入させるといった不正行為が行いやすくなってしまうおそれがある。この点、本手段によれば、制御基板に対して複数の差込側コネクタを接続するために必要な受側コネクタの数を減らすことにより、受側コネクタ間に隙間が生じ得る箇所を減少、ひいては、なくすことができる。結果として、接続用開口部を介して隣接する受側コネクタ間の隙間から針金等を基板ボックス内に侵入させるといった不正行為を抑止することができる。
【０１５５】
また、本手段によれば、受側コネクタの先端部が前記接続用開口部周縁の前記基板ボックスの内面と同じ高さ位置、又は前記基板ボックスの内面よりも前記基板ボックスの外側に位置している。このため、受側コネクタを基板ボックスの接続用開口部の周縁部に略当接状態とすることができ、当該略当接状態とされた部位においては針金等を基板ボックス内に挿入可能な隙間をなくすことができる。
【０１５６】
尚、本手段では、複数の差込側コネクタを、１つの受側コネクタに対して直接接続可能なものと意図している。１つの受側コネクタに対して、それぞれ別の電気機器に接続された複数のケーブルを接続する構成としては、本手段の構成以外にも、例えば、複数の差込側コネクタを接続可能な中継端子部を設け、該中継端子部を介して１つの受側コネクタと複数の差込側コネクタとを接続する構成や、それぞれ別の電気機器に接続された複数のケーブルを１つの差込側コネクタに接続する構成等が挙げられる。しかしながら、前者の場合には、別途中継端子部を設けるための手間やコストがかかってしまうおそれがある。後者の場合には、どのケーブルにおいて断線が生じたのかを特定するために時間を要してしまうおそれがある。この点、本手段によれば、１つの受側コネクタに対して複数の差込側コネクタを直接接続することから、これらの不具合を回避することができる。また、後者の構成を採用する場合には、いずれか１つのケーブルに断線が生じた場合であっても全てのケーブル及び差込側コネクタを交換せざるを得ない場合も想定されるが、本手段の構成によれば、断線の生じたケーブル及び該ケーブルに個別に対応する差込側コネクタのみを交換するだけで済むため、省資源化を図ることができる。
【０１５７】
尚、上記のような不正防止の観点から、基板ボックスの接続用開口部周縁部とコネクタとの間には、隙間が全くないことが望ましいのであるが、接続用開口部に若干の余裕を持たせないと、コネクタの接続用開口部への挿通作業が困難又は不可能となってしまうおそれがある。つまり、ここで言う「隙間がない」とは、「針金等の基板ボックス内への侵入を防止でき、かつ、コネクタの挿通作業性を阻害しない程度の隙間しかない」といった意味である。
【０１５８】
また、「電気機器」には、センサー（検出スイッチ）等の検出手段、表示装置やランプやスピーカ等の電気部材、及び「その他の制御基板」が含まれ、１つの制御基板にケーブルを介して接続される複数の電気機器としては、検出手段、電気部材、その他の制御基板のいずれか、又は、これらの組合わせが挙げられる。
【０１５９】
手段２．前記接続用開口部は、前記受側コネクタと１対１で対応して形成されていることを特徴とする手段１に記載の遊技機。
【０１６０】
手段２によれば、接続用開口部と受側コネクタとが１対１で対応している。つまり、従来、近接させて設けていたような複数の受側コネクタを１つの受側コネクタとしてまとめることで、複数の受側コネクタをまとめて囲むような接続用開口部をなくすのである。これにより、１つの接続用開口部を介して、複数の受側コネクタと、これらに対応する複数の差込側コネクタとが接続されるといった状況をなくすことができ、受側コネクタと隣接する受側コネクタとの間に、針金等を挿入可能な隙間が形成されてしまうといったおそれを回避することができる。また、接続用開口部を受側コネクタの外周形状に合わせて形成することができることから、受側コネクタと基板ボックスの接続用開口部周縁部との間において、基板ボックス内に針金等を侵入させることのできるような隙間をなくすことができる。従って、接続用開口部を介し、隣接する受側コネクタ同士の間から針金等を基板ボックス内に侵入させるといった不正行為を防止することができる。
【０１６１】
さらには、部材点数が多くなるとそれだけ製造誤差が生じる可能性が高められるため、例えば、複数の差込側コネクタの外周形状に合わせて接続用開口部を形成する場合には、基板ボックスの接続用開口部周縁部とコネクタとの間に針金等の挿通を許容してしまうような隙間ができてしまうおそれが高められてしまう。この点、本手段によれば、複数の差込側コネクタの外周形状に合わせるのではなく、１つの受側コネクタの外周形状に合わせて接続用開口部を形成することができ、結果として、上記おそれを抑止することができる。
【０１６２】
手段３．前記１つの受側コネクタに接続される前記複数の差込側コネクタは、隣接する差込側コネクタ同士が当接状態で前記１つの受側コネクタに接続できることを特徴とする手段１又は２に記載の遊技機。
【０１６３】
手段３によれば、差込側コネクタがそれぞれ自身と隣接する差込側コネクタと当接状態で受側コネクタに接続されることにより、受側コネクタのコンパクト化を図ることができる。結果として、制御基板上のコネクタ接続に要するスペースの縮小化がより確実に図られる。
【０１６４】
手段４．前記１つの受側コネクタは、その周縁部に立設された壁部を備え、
前記複数の差込側コネクタは、その先端部が前記壁部の内側に挿入状態で接続され、
当該接続状態においては、前記差込側コネクタが、前記壁部の内周面及び前記差込側コネクタに隣接する差込側コネクタと略当接状態であることを特徴とする手段１乃至３のいずれかに記載の遊技機。
【０１６５】
手段４によれば、差込側コネクタは、自身に隣接する差込側コネクタと受側コネクタの壁部とによって囲まれた領域に配置される上、隣接する差込側コネクタ及び壁部の内周面と略当接状態とされる。従って、上記手段３の作用効果がより確実に奏される。また、差込側コネクタの接続状態を安定させることができる。
【０１６６】
手段５．前記１つの受側コネクタに接続される前記複数の差込側コネクタは、それぞれ当該差込側コネクタと自身に隣接する差込側コネクタとを係合させて少なくとも一方向への相対移動を規制する係合手段を具備することを特徴とする手段１乃至４のいずれかに記載の遊技機。
【０１６７】
手段５によれば、隣接する差込側コネクタ同士を係合させることで、複数の差込側コネクタを１度に着脱することができる。また、コネクタの接続状態の安定性を高めることができる。
【０１６８】
手段６．前記係合手段は、係合する２つの差込側コネクタの一方に設けられた係合凸部と、他方に設けられ、前記係合凸部に係合される可動片とを備え、
前記可動片を操作することで、前記係合凸部に対する前記可動片の係合状態を解除可能としたことを特徴とする手段５に記載の遊技機。
【０１６９】
手段６によれば、可動片を操作することで係合凸部に対する可動片の係合状態が解除され、係合する２つの差込側コネクタの少なくとも一方向への相対移動が許容されることとなる。従って、隣接する差込側コネクタ同士を係合させた後でも、差込側コネクタを該差込側コネクタに隣接する差込側コネクタから比較的容易に離脱させることができる。このため、例えば、隣接する差込側コネクタ同士を一度係合したら二度と離脱させることができない場合に比べて、どのケーブルにおいて断線が生じたのかを比較的容易に特定することができる。また、係合状態にある差込側コネクタを離脱させることができなければ、１つの受側コネクタに接続された複数の差込側コネクタのうちのいずれかに接続されたケーブルに断線が生じた場合であっても全てのケーブル及び差込側コネクタを交換せざるを得ない場合も想定される。この点、本手段によれば、断線の生じたケーブル及び該ケーブルに対応する差込側コネクタのみを取外して交換するだけで済むため、省資源化を図ることができる。結果として、メンテナンス性やリユース性に優れるといった効果が奏される。
【０１７０】
手段７．前記複数の差込側コネクタのうち少なくとも１つには、前記受側コネクタに設けられた被係止部に係止される係止部が設けられ、前記係止部が前記被係止部に係止されることで、前記受側コネクタに対する前記差込側コネクタの抜け方向への相対移動が規制されることを特徴とする手段１乃至６のいずれかに記載の遊技機。
【０１７１】
手段７によれば、差込側コネクタの抜け防止が図られ、コネクタの接続状態を安定させることができる。また、被係止部に係止部が係止されることで、受側コネクタに対して差込側コネクタが確実に接続されたことを把握することができる。
【０１７２】
また、上記手段５の構成を採用する場合、隣接する差込側コネクタ同士が係合されているため、全ての差込側コネクタに係止部が設けられていなくても、いずれかの差込側コネクタに係止部が設けられていれば、１つの受側コネクタに接続される全ての差込側コネクタを係止させることができる。従って、差込側コネクタの係止部の数を少なくすることができ、構成の簡素化を図ることができる。また、係止部及び被係止部の数が少ないことによって、コネクタの凹凸を減らすことができ、差込側コネクタ及び受側コネクタ形状の簡素化を図ることができる。
【０１７３】
手段８．前記受側コネクタは、その先端部側が前記接続用開口部を介して前記基板ボックスから突出していることを特徴とする手段１乃至７のいずれかに記載の遊技機。
【０１７４】
例えば、１つの受側コネクタに接続される複数の差込側コネクタの外周形状に合わせて接続用開口部を形成する場合には、基板ボックス内に差込側コネクタの先端部側を挿入することになる。この場合、差込側コネクタを抜き差しする際に、基板ボックスの接続用開口部周縁部が差込側コネクタによって傷つけられて変形したり欠けたりするおそれがある。この点、本手段８によれば、接続用開口部を受側コネクタの外周形状に合わせて形成することができ、コネクタ接続に際し、基板ボックスの接続用開口部周縁部と差込側コネクタとが擦れてしまうといったおそれを回避することができる。結果として、上記おそれを抑止することができる。
【０１７５】
手段９．前記差込側コネクタと、該差込側コネクタに隣接する差込側コネクタとに一対の識別情報を付したことを特徴とする手段１乃至８のいずれかに記載の遊技機。
【０１７６】
手段９によれば、所定の差込側コネクタに対してどの差込側コネクタが隣接するのか、ひいては、所定の差込側コネクタのどの面が隣接する差込側コネクタのどの面と対応しているのか（当接、係合するのか）を明確に認識することができる。結果として、１つの受側コネクタに接続される差込側コネクタの配置構成を瞬時に把握することができ、コネクタの接続作業性を向上させることができる。尚、識別情報とは、当該識別情報を視認することで、所定の差込側コネクタに隣接する差込側コネクタがどれで、さらにどの面同士が対応するのかを認識可能になっていればよく、例えば、色、外形状、目印（刻印、点字等によるマーク）等によって、或いはこれらの組合わせによって特徴付けた部位を識別情報とすることができる。
【０１７７】
以下に、上記各手段が適用される各種遊技機の基本構成を示す。
【０１７８】
Ａ．上記各手段における前記遊技機は弾球遊技機であること。より詳しい態様例としては、「遊技者が操作する始動操作手段（遊技球発射ハンドル）と、当該始動操作手段の操作に基づいて遊技球を弾いて発射する球発射手段（発射モータ、発射ソレノイド等）と、当該発射された遊技球を所定の遊技領域に導く球通路（レールユニットの球案内通路）と、前記遊技領域内に配置された各遊技部品（一般入賞口、可変入賞装置、作動口、可変表示ユニット等）とを備え、前記遊技領域を流下する遊技球の挙動を視認可能に構成されてなる弾球遊技機。」が挙げられる。
【０１７９】
Ｂ．上記各手段における前記遊技機は、可変表示装置を備えた弾球遊技機であること。より詳しい態様例としては、「遊技者が操作する始動操作手段（遊技球発射ハンドル）と、当該指導操作手段の操作に基づいて遊技球を弾いて発射する球発射手段（発射モータ、発射ソレノイド等）と、当該発射された遊技球を所定の遊技領域（例えば遊技領域は遊技盤面等により構成される）に導く球通路（レールユニットの球案内通路）と、前記遊技領域内に配置された作動口、可変表示装置及び可変入賞装置とを備え、前記作動口へ遊技球の入賞が検知されることに基づいて、前記可変表示装置に表示される識別情報（図柄）を変動表示せしめ、所定時間後停止表示させるとともに、停止表示された識別情報（図柄）が特定態様である場合に前記可変表示装置を所定態様で開放させるように構成した弾球遊技機」が挙げられる。
【０１８０】
Ｃ．上記各手段における前記遊技機、又は、上記各弾球遊技機は、パチンコ機又はパチンコ機に準ずる遊技機であること。
【０１８１】
Ｄ．上記各手段における遊技機は、スロットマシン等の回胴式遊技機であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して又は所定時間経過することにより回転体が停止され、その停止時に有効ライン上に揃った識別情報が特定の識別情報であることを条件に遊技媒体が付与されるよう構成した回胴式遊技機」が挙げられる。
【０１８２】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報の付された複数の回転体を回転させた後に識別情報を確定停止表示する可変表示装置を備え、始動操作手段（具体的にはスタートレバー）の操作に起因して回転体の回転が開始され、停止操作手段（具体的にはストップボタン）の操作に起因して又は所定時間経過することにより回転体が停止され、その停止時に有効ライン上に揃った識別情報が特定の識別情報であることを条件に遊技球が付与されるよう構成し、さらに球受皿（上皿等）を設けてその球受皿から遊技球を取り込む投入処理を行う投入装置と、前記球受皿に遊技球の払出しを行う払出装置とを備え、前記投入装置により遊技球が投入されることにより前記始動操作手段の操作が有効となるように構成した遊技機」が挙げられる。
【符号の説明】
【０１８３】
１０…遊技機としてのパチンコ機、４１…普通図柄表示装置、４３…特別表示装置、２６１…主制御装置、２６１ａ…制御基板としての主基板、２６２…サブ制御装置、２６３…基板ボックス、２６４…封印手段としての封印ユニット、３１１…払出制御装置、４０２…受側コネクタとしてのレセプタクルコネクタ、４０３ａ，４０３ｂ，４０３ｃ…差込側コネクタとしてのプラグコネクタ、４１１…ピンコンタクト、４１２…レセプタクルハウジング、４１７…被係止部としての係止凸部、４２１ａ〜４２１ｃ…プラグハウジング、４３７…係合凸部としての第１凸部４３７、４４１…係止部、４５１…可動片としての第１係合片、４６７…係合凸部としての第１凸部４６７、４７１…可動片としての第２係合片、４８１…係止部、５４３…ＲＡＭ消去スイッチ回路、Ｃ１，Ｃ２，Ｃ３…ケーブル、Ｗ１…接続用開口部。
【図１】
2011235191.tif 000003
【図２】
2011235191.tif 000004
【図３】
2011235191.tif 000005
【図４】
2011235191.tif 000006
【図５】
2011235191.tif 000007
【図６】
2011235191.tif 000008
【図７】
2011235191.tif 000009
【図８】
2011235191.tif 000010
【図９】
2011235191.tif 000011
【図１０】
2011235191.tif 000012
【図１１】
2011235191.tif 000013
【図１２】
2011235191.tif 000014
【図１３】
2011235191.tif 000015